(57)【要約】  冷凍サイクル装置の室外機は、熱交換器が載置されるユニットベースと、ユニットベースを介して熱交換器で発生したドレン水を受けるドレンパンとを備える冷凍サイクル装置の室外機であって、ドレンパンは、ドレン水を受ける第１の底板と、第１の底板を取り囲む第１の側板とを有する第１のドレンパンと、ドレン水を受ける第２の底板と、第２の底板を取り囲む第２の側板とを有する第２のドレンパンとを有しており、第１の側板は、室外機を設置する設置面に対する第１の底板の傾斜角を調整可能にユニットベースに取り付けられており、第２の側板は、第１のドレンパンに回動可能に取り付けられている。
2017081734.tif 000002
【特許請求の範囲】
【請求項１】
熱交換器が載置されるユニットベースと、前記ユニットベースを介して前記熱交換器で発生したドレン水を受けるドレンパンとを備える冷凍サイクル装置の室外機であって、
前記ドレンパンは、
前記ドレン水を受ける第１の底板と、前記第１の底板を取り囲む第１の側板とを有する第１のドレンパンと、
前記ドレン水を受ける第２の底板と、前記第２の底板を取り囲む第２の側板とを有する第２のドレンパンと
を有しており、
前記第１の側板は、前記室外機を設置する設置面に対する前記第１の底板の傾斜角を調整可能に前記ユニットベースに取り付けられており、
前記第２の側板は、前記第１のドレンパンに回動可能に取り付けられている
冷凍サイクル装置の室外機。
【請求項２】
前記第１の側板は、前記第１の側板及び前記ユニットベースに形成された固定穴と締結部材とによって前記ユニットベースに取り付けられている
請求項１に記載の冷凍サイクル装置の室外機。
【請求項３】
前記第２の側板は、接合部材によって前記第１のドレンパンに取り付けられている
請求項１又は２に記載の冷凍サイクル装置の室外機。
【請求項４】
前記第２の側板と、前記ユニットベースとの間を連結する連結部材を備える
請求項１〜３のいずれか１項に記載の冷凍サイクル装置の室外機。
【請求項５】
前記第１の底板又は前記第２の底板のいずれか一方に凍結防止のためのヒータが配置される
請求項１〜４のいずれか１項に記載の冷凍サイクル装置の室外機。
【発明の詳細な説明】
【技術分野】
【０００１】
本発明は、ドレンパンを備える冷凍サイクル装置の室外機に関する。
【背景技術】
【０００２】
特許文献１には、従来のドレンパンを備える冷凍サイクル装置の室外機の一例として、ヒートポンプ式給湯器の給湯室外機が開示されている。特許文献１の給湯室外機では、給湯室外機の底部を構成するユニットベースと、給湯室外機に収容された蒸発器との間にドレンパンが設けられ、ドレンパンがユニットベースと平行、すなわち、給湯室外機の設置面と平行となるように配置されている。
【先行技術文献】
【特許文献】
【０００３】
【特許文献１】特開２００８−１５１４１８号公報
【発明の概要】
【発明が解決しようとする課題】
【０００４】
一方、特許文献１の給湯室外機を湿気の多い地域に設置する場合、給湯室外機で発生するドレン水の量が多くなるため、ドレンパンからドレン水が溢れないように、通常よりも容積の大きなドレンパンを配置される場合がある。しかしながら、特許文献１の給湯室外機では、ドレンパンが給湯室外機の設置面と平行となるように配置されるため、容積が大きいドレンパンを配置した場合に、給湯室外機の省スペース化を図ることができないという課題があった。【０００５】
本発明は、上述の課題を解決するためになされたものであり、室外機を湿気の多い地域に設置する場合であっても省スペース化を図ることが可能な冷凍サイクル装置の室外機を提供することを目的とする。
【課題を解決するための手段】
【０００６】
本発明に係る冷凍サイクル装置の室外機は、熱交換器が載置されるユニットベースと、前記ユニットベースを介して前記熱交換器で発生したドレン水を受けるドレンパンとを備える冷凍サイクル装置の室外機であって、前記ドレンパンは、前記ドレン水を受ける第１の底板と、前記第１の底板を取り囲む第１の側板とを有する第１のドレンパンと、前記ドレン水を受ける第２の底板と、前記第２の底板を取り囲む第２の側板とを有する第２のドレンパンとを有しており、前記第１の側板は、前記室外機を設置する設置面に対する前記第１の底板の傾斜角を調整可能に前記ユニットベースに取り付けられており、前記第２の側板は、前記第１のドレンパンに回動可能に取り付けられている。
【発明の効果】
【０００７】
本発明によれば、第１のドレンパン及び第２のドレンパンの傾斜角を、例えば、設置場所のドレン水の量に応じて調整することができる。また、例えば、第２のドレンパンの傾斜角を第１のドレンパンの傾斜角よりも大きくすることにより、第１のドレンパン及び第２のドレンパンからのドレン水の排水を促進することができるため、容積の大きなドレンパンを室外機に配置する必要がない。したがって、本発明によれば、室外機を湿気の多い地域に設置する場合であっても、省スペース化を図ることが可能な冷凍サイクル装置の室外機を提供することができる。
【図面の簡単な説明】
【０００８】
【図１】本発明の実施の形態１に係る冷凍サイクル装置の室外機１の構造の一例を概略的に示した分解斜視図である。
【図２】本発明の実施の形態１の冷凍サイクル装置の室外機１に係るユニットベース５、第１のドレンパン２０、及び第２のドレンパン３０の構造の一例を概略的に示した分解斜視図である。
【図３】本発明の実施の形態１の冷凍サイクル装置の室外機１に係るユニットベース５、第１のドレンパン２０、及び第２のドレンパン３０の構造の一例を概略的に示した分解斜視図である。
【図４】本発明の実施の形態１の冷凍サイクル装置の室外機１に係る第１のドレンパン２０と第２のドレンパン３０との接合部分の構造の一例を概略的に示した部分拡大図である。
【図５】本発明の実施の形態１に係る冷凍サイクル装置の室外機１に係る第１のドレンパン２０及び第２のドレンパン３０をユニットベース５に取り付けた構造の一例を示す概略図である。
【図６】本発明の実施の形態１に係る冷凍サイクル装置の室外機１に係る第１のドレンパン２０及び第２のドレンパン３０をユニットベース５に取り付けた構造の別の一例を示す概略図である。
【発明を実施するための形態】
【０００９】
実施の形態１．
本発明の実施の形態１に係る冷凍サイクル装置の室外機１について説明する。図１は、本実施の形態１に係る冷凍サイクル装置の室外機１の外観構造の一例を概略的に示した斜視図である。図１においては、室外機１は、大型で縦長な外郭構造を有する床置型の熱源側ユニットとして構成されている。室外機１は、図示しないが、例えば、室内機等の１以上の負荷側ユニットと冷媒配管を介して接続されている。
【００１０】
なお、図１を含む以下の図面では、各構成部材の寸法の関係及び形状は、実際のものとは異なる場合がある。また、以下の図面では、同一の又は類似する部材又は部分には、同一の符号を付すか、又は符号を付すことを省略している。また、以下の説明では、室外機１の各々の構成部材同士の前後、左右、若しくは上下の位置関係は、原則として、室外機１を使用可能な状態に設置したときの位置関係とする。
【００１１】
室外機１には、室外機１の前面部を構成する前面パネル２、室外機１の左側面部を構成する左サイドパネル３、及び室外機１の右側面部を構成する右サイドパネル４が設けられており、これらによって、室外機１の筐体の一部が構成されている。また、室外機１には、室外機１の下面部を構成するユニットベース５が設けられており、これも筐体の一部を構成している。ユニットベース５は、底面部と底面部を取り囲む側面部とを有しており、ユニットベース５の側面部には、前面パネル２、左サイドパネル３、及び右サイドパネル４がネジ止め等により取り付けられている。ユニットベース５の底面部の下面側には、室外機１を設置するための土台となる複数の脚部６が配置されている。脚部６は、例えば、ユニットベース５の底面部の対向する辺に配置されている。
【００１２】
前面パネル２は、例えば、ネジ止めにより室外機１に固定され、室外機１の内部のメンテナンスが可能なように構成されている。前面パネル２は、単一の板金パネルで構成してもよいし、室外機１の内部のメンテナンスを容易にするために複数の板金パネルで構成してもよい。
【００１３】
左サイドパネル３は、左面視において、左サイドパネル３の上縁部、右縁部、及び左縁部を構成するフレーム３ａと、フレーム３ａに囲まれた領域に複数の空気吸込口３ｃを設けた吸気グリル部３ｂとを有している。左サイドパネル３のフレーム３ａの右縁部には、前面パネル２がネジ止め等によって固定されている。
【００１４】
右サイドパネル４は、右面視において、右サイドパネル４の上縁部、右縁部、及び左縁部を構成するフレーム４ａと、フレーム４ａに囲まれた領域に複数の空気吸込口４ｃを設けた吸気グリル部４ｂとを有している。右サイドパネル４のフレーム４ａの左縁部には、前面パネル２がネジ止め等によって固定されている。
【００１５】
ユニットベース５の底面部の上面部には、熱交換器７、圧縮機８等の室外機１を構成する機器類が配置される。熱交換器７は、並列に配置された複数のフィンと、複数のフィンを貫通する伝熱管とを備えるフィンアンドチューブ型熱交換器として構成でき、伝熱管が水平となるように室外機１に配置される。なお、図１では、熱交換器７として、上面視においてＵ字形状となるように構成されたフィンアンドチューブ型熱交換器を例示しているが、熱交換器７の形状は、平板形状に構成されたものであってもＬ字形状に構成されたものであってもよい。熱交換器７は、室内機等に冷熱を提供する冷房運転時においては、凝縮器として機能し、室内機等に温熱を提供する暖房運転時においては、蒸発器として機能する。なお、冷凍サイクル装置が空気調和機である場合においては、凝縮器が放熱器と称され、蒸発器が冷却器と称される場合もある。
【００１６】
左サイドパネル３は、正面視において、熱交換器７の左側に位置するフィンを覆うように配置されている。また、右サイドパネル４は、正面視において、熱交換器７の右側に位置するフィンを覆うように配置されている。また、熱交換器７の背面に配置されたフィンは、室外機１の背面部を構成している。
【００１７】
圧縮機８は、吸入した低圧冷媒を圧縮し、高圧冷媒として吐出する流体機械である。圧縮機８は、例えばロータリ圧縮機、スクロール圧縮機等として構成される。
【００１８】
熱交換器７及び圧縮機８には、冷媒配管が配管接続されており、室外機１と室外機１に接続された室内機等との間において、冷媒を循環させる冷凍サイクル回路が構成されている。なお、室外機１は、冷凍サイクル回路を構成する他の構成要素として、アキュムレータ、油分離器、冷媒流路切替装置、受液器、減圧装置等が配管接続された構成としてもよい。
【００１９】
左サイドパネル３のフレーム３ａの上縁部と右サイドパネル４のフレーム４ａの上縁部との間には、室外機１の前面側に位置する前フレーム９と、室外機１の背面側に位置する後フレーム１０とが、ネジ止め等によって固定されている。また、前フレーム９と後フレーム１０との間には、前フレーム９と後フレーム１０との間を延在する２本の支持部材と、この２本の支持部材に固定された支持板とを備えるモータサポート１１を備えている。室外機１の上部には、ファン１２と、ファン１２の下方に配置されファン１２を回転駆動させるモータ１３が収容されている。モータサポート１１は、支持板に設けられた開口部でモータ１３の回転軸が上方を向くようにモータ１３の胴体外縁部を固定して、モータ１３及びファン１２を支持するように構成されている。ファン１２は、例えば、プロペラファン等の軸流ファンとして構成される。モータ１３は、例えば、ＤＣブラシレスモータ等として構成される。
【００２０】
左サイドパネル３のフレーム３ａの上縁部には、左フレーム１４がネジ止め等によって固定されている。右サイドパネル４のフレーム４ａの上縁部には、右フレーム１５がネジ止め等によって固定されている。前フレーム９、後フレーム１０、左フレーム１４、及び右フレーム１５には、ファン１２を内部に収容するファンガード１６が例えばネジ止め等により固定されている。また、ファンガード１６の上部には、室外機１の排気口を構成する排気グリル１７が配置されている。ファンガード１６及び排気グリル１７は、室外機１の上面部を構成している。
【００２１】
室外機１が駆動し、ファン１２が回転すると、室外機１の外部から左サイドパネル３の吸気グリル部３ｂ、右サイドパネル４の吸気グリル部４ｂ、又は熱交換器７を介して、室外空気が室外機１の内部空間に取り込まれる。熱交換器７では、熱交換器７のフィンの間を通過する室外空気と、伝熱管を流れる冷媒等の熱交換媒体との間で熱交換が行われる。熱交換器７で熱交換された空気は、ファン１２によって、室外機１の内部空間から排気グリル１７を介して室外機１の外部に排気されることとなる。
【００２２】
室外機１で暖房運転が行われる場合、熱交換器７では、熱交換器７のフィンの間を通過する室外空気と、低温低圧の二相冷媒等の伝熱管を流れる低温低圧の熱媒体との間で熱交換が行われ、室外空気の熱が伝熱管を流れる熱媒体に放出される。このとき、室外空気に含まれる水蒸気からも熱が放出されるため、水蒸気は水滴となって熱交換器７に付着することになる。熱交換器７に付着した水滴は、重力によりユニットベース５に排水され、ドレン水となる。
【００２３】
ユニットベース５の下方には、ユニットベース５の側面部に固定された第１のドレンパン２０と、第１のドレンパン２０に連結された第２のドレンパン３０とが配置されている。以下では、本実施の形態１の冷凍サイクル装置の室外機１において、ドレン水の排水機構を構成する、ユニットベース５、第１のドレンパン２０、及び第２のドレンパン３０の構造について説明する。
【００２４】
図２は、本実施の形態１の冷凍サイクル装置の室外機１に係るユニットベース５、第１のドレンパン２０、及び第２のドレンパン３０の構造の一例を概略的に示した分解斜視図である。図２に示すように、ユニットベース５は、ユニットベース５の下部に設けられた一対の脚部６に載置されており、第１のドレンパン２０及び第２のドレンパン３０は、ユニットベース５の下部と一対の脚部６との間の空間に配置されている。また、第２のドレンパン３０には、脚部６を貫通し、第２のドレンパン３０と連通する排水管４０が設けられている。
【００２５】
ユニットベース５は、前述したように底面部と底面部を取り囲む側面部とを有しており、底面部と側面部とで取り囲まれた領域には凹部が形成されている。ユニットベース５の側面部には、前面パネル２、左サイドパネル３、及び右サイドパネル４に加え、第１のドレンパン２０及び第２のドレンパン３０を連結するための複数の固定穴５ａが設けられている。また、図示しないが、ユニットベース５の底面部には、熱交換器７で発生した水滴を第１のドレンパン２０及び第２のドレンパン３０に排水する複数の排水穴が形成されている。
【００２６】
図３は、本実施の形態１の冷凍サイクル装置の室外機１に係る第１のドレンパン２０及び第２のドレンパン３０の構造の一例を概略的に示した分解斜視図である。第１のドレンパン２０及び第２のドレンパン３０においては、ユニットベース５の底面部から第１のドレンパン２０に滴下したドレン水が、第２のドレンパン３０を介して排水管４０から排水されるように構成されている。また、ユニットベース５の底面部から第２のドレンパン３０に滴下したドレン水が排水管４０から室外機１の外部に排水されるように構成されている。
【００２７】
第１のドレンパン２０は、ユニットベース５の底面部から滴下したドレン水を受ける第１の底板２２と、第１の底板２２の上流側の三辺から上方に延在し、第１の底板２２を取り囲む第１の側板２４とを有している。第１の側板２４における対向する２つの面には、第１のドレンパン２０をネジ止め等により固定するための複数の固定穴２４ａが設けられている。図３では、第１の側板２４における対向する２つの面に３つずつの固定穴２４ａが設けられている。
【００２８】
第１のドレンパン２０の第１の底板２２における下流側の辺、すなわち第２のドレンパン３０側の辺には、第１の底板２２を流れるドレン水を第２のドレンパン３０に誘導する誘導板２６が配置されている。また、第１のドレンパン２０には、誘導板２６の辺と第１の底板２２の辺とによって形成される一対のＬ字形状の縁部には、第２のドレンパン３０を第１のドレンパン２０に連結させるための接合穴２８ａを設けた一対の接合部２８が配置されている。
【００２９】
第２のドレンパン３０は、第１のドレンパン２０から流入したドレン水又はユニットベース５の底面部から滴下したドレン水を受ける第２の底板３２と、第２の底板３２の周縁部から上方に延在し、第２の底板３２を取り囲む第２の側板３４とを有している。第２のドレンパン３０の下流側の第２の側板３４には、第２の底板３２を流れるドレン水を室外機１の外部に排水する排水管４０が配置されている。第２の側板３４において、ドレン水の流れる方向に延びる対向する２つの面には、接合部２８を回動可能に取り付けるための接合穴３４ａが上流側にそれぞれ配置されている。また、第２の側板３４において、ドレン水の流れる方向に延びる対向する２つの面には、接合部２８を回動可能に取り付けるための接合穴３４ａが上流側にそれぞれ配置されている。また、後述するが、第２の側板３４において、ドレン水の流れる方向に延びる対向する２つの面には、第２の側板３４とユニットベース５の側面部との間を連結する連結部材７０を取り付けるための固定穴３４ｂがそれぞれ配置されている。
【００３０】
図４は、本実施の形態１の冷凍サイクル装置の室外機１に係る第１のドレンパン２０と第２のドレンパン３０との接合部分の構造の一例を概略的に示した部分拡大図である。第２のドレンパン３０の第２の側板３４は、例えば第２のドレンパン３０の接合穴３４ａ及び第１のドレンパン２０の接合穴２８ａにリベット等の接合部材５０を挿入して接合することにより、第１のドレンパン２０に取り付けることができる。この構成によれば、第２のドレンパン３０は、接合部材５０を支点として回動させることができる。
【００３１】
図５は、本実施の形態１に係る冷凍サイクル装置の室外機１に係る第１のドレンパン２０及び第２のドレンパン３０をユニットベース５に取り付けた構造の一例を示す概略図である。図５では、第１のドレンパン２０の第１の側板２４に設けられた総ての固定穴２４ａに、ネジ又はボルト等の締結部材６０が挿入され、締結部材６０が固定穴５ａを介してユニットベース５に締結された例を示している。
【００３２】
この場合、第２のドレンパン３０の第２の側板３４が、第１のドレンパン２０に回動可能に取り付けられているため、第２のドレンパン３０の第２の底板３２の設置面８０に対する傾斜角は、第１のドレンパン２０の第１の底板２２の傾斜角よりも大きくなるように調整できる。また、第２のドレンパン３０の第２の側板３４と、ユニットベース５との間に、チェーン又は取付板等の連結部材７０を連結することにより、第２のドレンパン３０のユニットベース５との間の最大幅が制限される。したがって、第１のドレンパン２０の第１の底板２２の傾斜角を調整することにより、第２のドレンパン３０の傾斜角を自動的に調整することができる。なお、連結部材７０のユニットベース５側の端部は、ネジ又はボルト等の締結部材６０を固定穴５ａに挿入し締結することにより、ユニットベース５の側面部に連結される。また、連結部材７０の第２のドレンパン３０側の端部は、ネジ又はボルト等の締結部材６０を固定穴３４ｂに挿入し締結することにより、第２のドレンパン３０の第２の側板３４に連結される。また、連結部材７０の長さは、室外機１の設置場所に応じて長さを調整することができる。
【００３３】
図６は、本実施の形態１に係る冷凍サイクル装置の室外機１に係る第１のドレンパン２０及び第２のドレンパン３０をユニットベース５に取り付けた構造の別の一例を示す概略図である。図６では、第１のドレンパン２０の第１の側板２４に設けられた一対の固定穴２４ａに、ネジ又はボルト等の締結部材６０が挿入され、締結部材６０が固定穴５ａを介してユニットベース５に締結された例を示している。
【００３４】
この場合も、第２のドレンパン３０の第２の側板３４が、第１のドレンパン２０に回動可能に取り付けられているため、第２のドレンパン３０の第２の底板３２の設置面８０に対する傾斜角は、第１のドレンパン２０の第１の底板２２の傾斜角よりも小さくなるように調整できる。また、図５の場合と同様に、第２のドレンパン３０の第２の側板３４と、ユニットベース５との間に、チェーン又は取付板等の連結部材７０を連結し、第１のドレンパン２０の第１の底板２２の傾斜角を調整することにより、第２のドレンパン３０の第２の底板３２の傾斜角を自動的に調整することができる。
【００３５】
なお、本実施の形態１に係る冷凍サイクル装置の室外機１が、寒冷地に設置される場合、ドレン水の凍結を防ぐために凍結防止のためのヒータを設置する必要がある。しかしながら、本実施の形態１の冷凍サイクル装置の室外機１においては、第１のドレンパン２０の第１の底板２２の傾斜角又は第２のドレンパン３０の第２の底板３２の傾斜角のいずれか一方が大きくなるように設定できる。本実施の形態１の冷凍サイクル装置の室外機１では、傾斜角の大きいドレンパンは排水性能が高くなるため、傾斜角の大きいドレンパンにはヒータを設置する必要がなくなる。したがって、本実施の形態１では、傾斜の小さいドレンパンのみにヒータを設置することで、ドレン水の凍結の発生を防ぐことができる。
【００３６】
以上に説明したように、本実施の形態１の冷凍サイクル装置の室外機１は、熱交換器７が載置されるユニットベース５と、ユニットベース５を介して熱交換器７で発生したドレン水を受けるドレンパンとを備える冷凍サイクル装置の室外機１であって、ドレンパンは、ドレン水を受ける第１の底板２２と、第１の底板２２を取り囲む第１の側板２４とを有する第１のドレンパン２０と、ドレン水を受ける第２の底板３２と、第２の底板３２を取り囲む第２の側板３４とを有する第２のドレンパン３０とを有しており、第１の側板２４は、室外機１を設置する設置面８０に対する第１の底板２２の傾斜角を調整可能にユニットベース５に取り付けられており、第２の側板２４は、第１のドレンパン２０に回動可能に取り付けられている。
【００３７】
この構成によれば、第１のドレンパン２０及び第２のドレンパン３０の傾斜角を、例えば、設置場所のドレン水の量又は設置面８０の傾斜角度等に応じて調整することができる。また、例えば、第２のドレンパン３０の傾斜角を第１のドレンパン２０の傾斜角よりも大きくすることにより、第１のドレンパン２０及び第２のドレンパン３０からのドレン水の排水を促進することができるため、容積の大きなドレンパンを室外機１に配置する必要がない。したがって、本発明によれば、室外機１を湿気の多い地域に設置する場合であっても、省スペース化を図ることが可能な冷凍サイクル装置の室外機１を提供することができる。また、室外機１の省スペース化を図ることができるため、室外機１の設置の際の運搬作業が容易となる。
【００３８】
また、本実施の形態１の冷凍サイクル装置の室外機１では、第１の側板２４は、第１の側板２４及び前記ユニットベース５に形成された固定穴５、２４ａと締結部材６０とによってユニットベース５に取り付けできる。この構成によれば、ネジ又はボルト等の締結部材６０を用いることによって、簡易に第１のドレンパン２０の傾斜角を調整できる。
【００３９】
また、本実施の形態１の冷凍サイクル装置の室外機１では、第２の側板３４は、接合部材５０によって第１のドレンパン２０に取り付けできる。この構成によれば、リベット等の接合部材５０を用いることによって、簡易に第２のドレンパン３０の傾斜角を調整できる。
【００４０】
また、本実施の形態１の冷凍サイクル装置の室外機１は、第２の側板３４と、ユニットベース５との間を連結する連結部材７０を備えるように構成できる。この構成によれば、第１のドレンパン２０の傾斜角を調整することにより、第２のドレンパン３０の傾斜角を自動的に調整することができる。
【００４１】
また、本実施の形態１の冷凍サイクル装置の室外機１では、第１の底板２２又は第２の底板３２のいずれか一方に凍結防止のためのヒータを配置できる。この構成によれば、例えば、傾斜角の大きいドレンパンにヒータを設置せず、傾斜の小さいドレンパンのみにヒータを設置することにより、ドレン水の凍結の発生を防ぐことができる。したがって、この構成によれば、ヒータの設置費用を抑えることができる。また、室外機１における電気使用量を低減できるため、ランニングコストを低減させ、エネルギー消費量を削減することができる。
【００４２】
その他の実施の形態．
本発明は、上述の実施の形態１に限らず、本発明の要旨を逸脱しない範囲において種々の変形が可能である。例えば、上述の実施の形態は、空気調和機以外の冷凍サイクル装置、例えばヒートポンプ式給湯器にも適用可能である。
【符号の説明】
【００４３】
１  室外機、２  前面パネル、３  左サイドパネル、３ａ  フレーム、３ｂ  吸気グリル部、３ｃ  空気吸込口、４  右サイドパネル、４ａ  フレーム、４ｂ  吸気グリル部、４ｃ  空気吸込口、５  ユニットベース、５ａ  固定穴、６  脚部、７  熱交換器、８  圧縮機、９  前フレーム、１０  後フレーム、１１  モータサポート、１２  ファン、１３  モータ、１４  左フレーム、１５  右フレーム、１６  ファンガード、１７  排気グリル、２０  第１のドレンパン、２２  第１の底板、２４  第１の側板、２４ａ  固定穴、２６  誘導板、２８  接合部、２８ａ  接合穴、３０  第２のドレンパン、３２  第２の底板、３４  第２の側板、３４ａ  接合穴、３４ｂ  固定穴、４０  排水管、５０  接合部材、６０  締結部材、７０  連結部材、８０  設置面。
【図１】
2017081734.tif 000003
【図２】
2017081734.tif 000004
【図３】
2017081734.tif 000005
【図４】
2017081734.tif 000006
【図５】
2017081734.tif 000007
【図６】
2017081734.tif 000008
【手続補正書】
【提出日】平成30年1月25日(2018.1.25)
【手続補正１】
【補正対象書類名】明細書
【補正対象項目名】０００６
【補正方法】変更
【補正の内容】
【０００６】
本発明に係る冷凍サイクル装置の室外機は、熱交換器が載置されるユニットベースと、前記ユニットベースを介して前記熱交換器で発生したドレン水を受けるドレンパンとを備える冷凍サイクル装置の室外機であって、前記ドレンパンは、第１のドレンパンと、第２のドレンパンとを有しており、前記第１のドレンパンは、前記室外機の設置面に対する前記第１のドレンパンの傾斜角を調整可能に前記ユニットベースに取り付けられており、前記第２のドレンパンは、前記第１のドレンパンに回動可能に取り付けられている。
【手続補正２】
【補正対象書類名】特許請求の範囲
【補正対象項目名】全文
【補正方法】変更
【補正の内容】
【特許請求の範囲】
【請求項１】
熱交換器が載置されるユニットベースと、前記ユニットベースを介して前記熱交換器で発生したドレン水を受けるドレンパンとを備える冷凍サイクル装置の室外機であって、
前記ドレンパンは、第１のドレンパンと、第２のドレンパンとを有しており、
前記第１のドレンパンは、前記室外機の設置面に対する前記第１のドレンパンの傾斜角を調整可能に前記ユニットベースに取り付けられており、
前記第２のドレンパンは、前記第１のドレンパンに回動可能に取り付けられている
冷凍サイクル装置の室外機。
【請求項２】
前記第１のドレンパンは、前記ドレン水を受ける第１の底板を有し、
前記第２のドレンパンは、前記ドレン水を受ける第２の底板を有し、
前記第１の底板又は前記第２の底板のいずれか一方に凍結防止のためのヒータが配置される
請求項１に記載の冷凍サイクル装置の室外機。
【請求項３】
前記傾斜角は、前記設置面に対する前記第１の底板の角度である
請求項２に記載の冷凍サイクル装置の室外機。
【請求項４】
前記第１のドレンパンは、前記第１の底板を取り囲む第１の側板を有し、
前記第１の側板は、前記傾斜角を調整可能に前記ユニットベースに取り付けられている
請求項２又は３に記載の冷凍サイクル装置の室外機。
【請求項５】
前記第１の側板は、前記第１の側板及び前記ユニットベースに形成された固定穴と締結部材とによって前記ユニットベースに取り付けられている
請求項４に記載の冷凍サイクル装置の室外機。
【請求項６】
前記第２のドレンパンは、前記第２の底板を取り囲む第２の側板を有し、
前記第２の側板は、前記第１のドレンパンに回動可能に取り付けられている
請求項２〜５のいずれか一項に記載の冷凍サイクル装置の室外機。
【請求項７】
前記第２の側板は、接合部材によって前記第１のドレンパンに取り付けられている
請求項６に記載の冷凍サイクル装置の室外機。
【請求項８】
前記第２の側板と、前記ユニットベースとの間を連結する連結部材を備える
請求項６又は７に記載の冷凍サイクル装置の室外機。
【国際調査報告】
2017081734.tif 000009
2017081734.tif 000010
2017081734.tif 000011
2017081734.tif 000012